(57)【特許請求の範囲】
【請求項１】
油脂を３０〜１０００ｍｇ／Ｌ含有する有機性廃水を、前記油脂を除去することなく細菌槽に導入し、前記細菌槽内で原生動物の実質的不存在下で細菌処理し、前記油脂の少なくとも一部を酸化分解するとともに非凝集性細菌に変換して一次処理廃水を得る工程と、
得られた前記一次処理廃水を、活性汚泥を含む膜分離活性汚泥槽に導入し、前記非凝集性細菌を原生動物に捕食除去させた後、分離膜により固液分離する工程と、を有し、
沈澱池又は沈殿槽で固液分離する工程を有さず、
前記細菌槽と前記膜分離活性汚泥槽の合計のＢＯＤ容積負荷が、１．０〜３．５ｋｇ／（ｍ3・日）であることを特徴とする有機性廃水の処理方法。
【請求項２】
前記活性汚泥の少なくとも一部を抜き出して活性汚泥処理槽に導入し、前記活性汚泥に含まれる細菌の少なくとも一部を殺菌又は溶菌した後、前記細菌槽及び／又は前記膜分離活性汚泥槽に導入する工程をさらに有する請求項１に記載の有機性廃水の処理方法。
【発明の詳細な説明】
【技術分野】
【０００１】
本発明は、動物性又は植物性の油脂を含有する有機性廃水の効率的な処理方法に関する。
【背景技術】
【０００２】
有機物を含有する有機性廃水の処理（浄化）方法として、好気性微生物を含んだ活性汚泥を利用する活性汚泥法がある。活性汚泥法は、浄化能力が高く、処理経費が比較的少なくて済む等の利点がある。このため、活性汚泥法を採用した種々の有機性廃水の処理方法が提案されており、下水処理や産業廃水処理等において広く一般に使用されている。
【０００３】
ただし、従来の活性汚泥法は、（１）微生物濃度の指標であるＭＬＳＳ（汚泥濃度）が低く、単位容積当りの処理効率が低い、（２）汚泥が増加した場合に広大な沈澱池が必要である、（３）沈澱池の上澄み水（処理水）を放流する際に、活性汚泥の状態が悪いと汚泥が沈降せずに処理水側に流出してしまう等の問題があった。
【０００４】
このような問題を解消すべく、例えば図５に示すような、限外濾過膜等の分離膜２５を膜分離槽２０（活性汚泥槽）に浸漬し、吸引等により処理水を膜濾過する膜分離活性汚泥法が提案されている（特許文献１及び２参照）。膜分離活性汚泥法では、ＭＬＳＳを大幅に上昇させることが可能であるため、処理効率が向上する。また、分離膜２５によって固液分離された処理水をそのまま放流することが可能であり、汚泥流出の問題が解消されうる。
【先行技術文献】
【特許文献】
【０００５】
【特許文献１】特開平２−２３７６９３号公報
【特許文献２】特開平３−２５４８９６号公報
【発明の概要】
【発明が解決しようとする課題】
【０００６】
しかしながら、動物油又は植物油等の油脂を含有する有機性廃水を、特許文献１及び２等で開示された膜分離活性汚泥法によって処理しようとすると、生成する汚泥の粘度が上昇しやすいために、分離膜の際の差圧が上昇してしまい、処理効率が低下するといった問題が生ずる。
【０００７】
これらの問題を解消する手法として、例えば、分離膜が浸漬された活性汚泥槽の前段（上流側）に、加圧浮上設備や油水分離槽などの油分（油脂）を除去するための設備等を配設することが考えられる。しかしながら、このような設備等は、規模が大きいとともに複雑である。このため、設備増設の手間、処理装置の複雑化、処理スペース確保の必要性等を考慮すると、上記の設備等を活性汚泥槽の上流側に組み込むことは必ずしも実用的であるとは言えなかった。
【０００８】
したがって、本発明の課題は、油脂を除去するための大掛かりな設備や工程が不要であり、汚泥転換率が低く、低い膜圧差で安定して処理することが可能な有機性廃水の処理方法を提供することにある。
【課題を解決するための手段】
【０００９】
すなわち、本発明によれば、油脂を３０〜１０００ｍｇ／Ｌ含有する有機性廃水を、前記油脂を除去することなく細菌槽に導入し、前記細菌槽内で原生動物の実質的不存在下で細菌処理し、前記油脂の少なくとも一部を酸化分解するとともに非凝集性細菌に変換して一次処理廃水を得る工程と、得られた前記一次処理廃水を、活性汚泥を含む膜分離活性汚泥槽に導入し、前記非凝集性細菌を原生動物に捕食除去させた後、分離膜により固液分離する工程と、を有し、沈澱池又は沈殿槽で固液分離する工程を有さず、前記細菌槽と前記膜分離活性汚泥槽の合計のＢＯＤ容積負荷が、１．０〜３．５ｋｇ／（ｍ3・日）であることを特徴とする有機性廃水の処理方法が提供される。
【００１０】
本発明においては、前記活性汚泥の少なくとも一部を抜き出して活性汚泥処理槽に導入し、前記活性汚泥に含まれる細菌の少なくとも一部を殺菌又は溶菌した後、前記細菌槽及び／又は前記膜分離活性汚泥槽に導入する工程をさらに有することが好ましい。
【発明の効果】
【００１１】
本発明の有機性廃水の処理方法によれば、油脂を除去するための大掛かりな設備や工程が不要でありながらも、汚泥転換率を低減しつつ、低い膜圧差で安定して有機性廃水を処理することができる。また、本発明においては、活性汚泥の少なくとも一部を抜き出して活性汚泥処理槽に導入し、活性汚泥に含まれる細菌の少なくとも一部を殺菌又は溶菌した後、細菌槽及び／又は膜分離活性汚泥槽に導入することで、汚泥の発生量をさらに減少させることができる。
【図面の簡単な説明】
【００１２】
【図１】経過日数（日）に対して、膜差圧（ｋＰａ）をプロットしたグラフである。
【図２】経過日数（日）に対して、汚泥の粘度（ｍＰａ・ｓ）をプロットしたグラフである。
【図３】本発明の有機性廃水の処理方法に用いる処理装置の一例を示す模式図である。
【図４】本発明の有機性廃水の処理方法に用いる処理装置の他の例を示す模式図である。
【図５】従来の有機性廃水の処理方法に用いる処理装置の一例を示す模式図である。
【発明を実施するための形態】
【００１３】
図３は、本発明の有機性廃水の処理方法に用いる処理装置の一例を示す模式図である。図１に示すように、本発明の有機性廃水の処理方法は、（１）油脂を３０〜１０００ｍｇ／Ｌ含有する有機性廃水（被処理水）を細菌槽１０に導入し、細菌槽１０内で原生動物の実質的不存在下で細菌処理し、油脂の少なくとも一部を酸化分解するとともに非凝集性細菌に変換して一次処理廃水を得る工程（以下、単に「工程（１）」とも記す）と、（２）得られた一次処理廃水を、活性汚泥を含む膜分離槽２０（膜分離活性汚泥槽）に導入し、非凝集性細菌を原生動物に捕食除去させた後、分離膜２５により固液分離する工程（以下、単に「工程（２）」とも記す）と、を有する。以下、本発明を実施するための形態について具体的に説明する。
【００１４】
（工程（１））
工程（１）では、先ず、油脂を含有する有機性廃水を細菌槽に導入する。有機性廃水に含まれる油脂の濃度は３０〜１０００ｍｇ／Ｌであり、好ましくは３０〜３００ｍｇ／Ｌである。油脂の濃度が上記数値範囲内であると、大掛かりな設備や工程が不要であるとともに、汚泥転換率が低減され、かつ、低膜圧差であるといった本発明の効果が有効に発揮される。なお、油脂の濃度が１０００ｍｇ／Ｌ超であると、油脂の濃度が高過ぎるので、加圧浮上設備や油水分離槽などの油脂を除去するための設備等が別途必要になる場合がある。
【００１５】
油脂は、通常、脂肪酸とグリセリンとのエステルである。有機性廃水に含まれる油脂の種類は特に限定されないが、具体的には動物性油脂や植物性油脂（以下、併せて「動植物性油脂」ともいう）等を挙げることができる。動物性油脂の具体例としては、豚脂（ラード）、牛脂（ヘット）、魚油、肝油、鯨油、バター等を挙げることができる。また、植物性油脂の具体例としては、ココナッツ油、コーン油、綿実油、オリーブ油、パーム油、ピーナッツ油、菜種油、ごま油、大豆油、ヒマワリ油、アーモンド油、亜麻仁油、こめ油等を挙げることができる。
【００１６】
一般的に、動物性油脂の融点は、植物性油脂の融点よりも高い。本発明の有機性廃水の処理方法においては、融点が比較的高い動物性油脂を含有する有機性廃水であっても、効率的に処理することができる。なお、油脂を構成する脂肪酸の具体例としては、パルミチン酸、ステアリン酸、ミリスチン酸等の飽和脂肪酸；オレイン酸、パルミトレイン酸等の一価不飽和脂肪酸；リノール酸、リノレン酸等の多価不飽和脂肪酸等を挙げることができる。
【００１７】
工程（１）では、細菌槽内で原生動物の実質的不存在下で有機性廃水を細菌処理し、油脂の少なくとも一部を酸化分解するとともに、非凝集性細菌に変換する。これにより、一次処理廃水を得ることができる。ここで、「原生動物の実質的不存在下」とは、原生動物の増殖が抑制され、その結果、細菌処理過程中に殆ど原生動物の新たな出現が見られない状態を意味する。
【００１８】
細菌槽で使用する細菌は、好気性のものであれば任意であり、例えば、アルカリゲネス属菌、シュウドモナス属菌、バチルス属菌、アエロバクター属菌、フラボバクテリウム属菌等を挙げることができる。これらの中でも、バチルス属菌を使用することが好ましい。これらの細菌は、通常、廃水中に生存しており、廃水中の有機物を栄養源として増殖する。このため、有機性廃水を被処理水とする本発明においては、特に外部から添加する必要はない。しかしながら、有機性廃水の浄化処理を円滑に行なうためには、必要に応じて適当な種菌を浄化処理の開始時に外部から添加してもよい。その際に使用する種菌としては、例えば、「バイオコア  ＢＰ」、「ＯＦ−１０」、「サーブワン」（以上、商品名、日鉄環境エンジニアリング社製）等の微生物製剤を好適に利用できる。
【００１９】
（工程（２））
工程（２）では、先ず、工程（１）で得られた一次処理廃水を、活性汚泥を含む膜分離活性汚泥槽に導入し、一次処理廃水を処理する。膜分離活性汚泥槽内には、原生動物が存在している。そして、膜分離活性汚泥槽へと導入される一次処理廃水には、非凝集性細菌が含まれている。すなわち、工程（２）においては、一次処理廃水に含まれる非凝集性細菌を原生動物に捕食除去させる、いわゆる「二相式活性汚泥処理」を行う。
【００２０】
一次処理廃水に含まれる非凝集性細菌は、それぞれの菌体に分散しており、原生動物に極めて捕食され易い状態となっている。このため、膜分離活性汚泥槽内での原生動物による細菌除去率は極めて高くなる。この結果、本発明の有機性廃水の処理方法は、従来の活性汚泥法に比して高負荷運転が可能になるとともに、余剰汚泥発生量を低減することができる。このため、本発明の有機性廃水の処理方法は経済性に優れた方法である。
【００２１】
膜分離活性汚泥槽で使用する「原生動物」は、非凝集性細菌を捕食して除去することが可能なものであればその種類は特に限定されない。このような原生動物としては、例えば、従来の活性汚泥槽に用いられる公知の原生動物を使用することができる。
【００２２】
膜分離活性汚泥処理は、活性汚泥を用いた有機物除去手法の一種で、通常の活性汚泥法で行われている沈澱池での固液分離を、好気タンク（曝気槽）内に浸漬した分離膜（膜ユニット）で行う方法である。分離膜による直接ろ過で処理水を得る構成であるため、曝気槽内の活性汚泥を高濃度に保持することができる。さらに、沈澱池での固液分離を行わないため、短時間での処理が可能である。また、沈澱槽が不要であるため、従来の活性汚泥方法よりも省スペースであるという利点もある。
【００２３】
本発明の有機性廃水の処理方法によれば、油脂を含有する有機性廃水であっても、汚泥転換率を低減しつつ、低い膜圧差で安定して処理することができるとともに、従来の活性汚泥法に比して高負荷運転が可能である。具体的には、工程（１）における細菌槽と、工程（２）における膜分離活性汚泥槽の合計のＢＯＤ容積負荷を、好ましくは１．０〜３．５ｋｇ／（ｍ3・日）とすることができ、さらに好ましくは１．０〜３．０ｋｇ／（ｍ3・日）とすることができる。
【００２４】
（活性汚泥処理工程）
本発明の有機性廃水の処理方法においては、図４に示すように、膜分離槽３０内の活性汚泥の少なくとも一部を抜き出して活性汚泥処理槽３０に導入し、活性汚泥に含まれる細菌の少なくとも一部を殺菌又は溶菌した後、細菌槽１０及び／又は膜分離槽２０に導入する工程（以下、「活性汚泥処理工程」ともいう）をさらに有することが好ましい。このような活性汚泥処理を行うことで、生成する処理水の水質を悪化させることなく、余剰汚泥発生量をさらに低減することが可能になるとともに、有機性廃水の浄化処理が簡易且つ経済的になされるといった利点がある。
【００２５】
活性汚泥に含まれる細菌の殺菌又は溶菌する方法は特に限定されないが、例えば、（１）ｐＨ又は温度の制御、（２）アルカリ剤、酸若しくは廃酸、殺菌若しくは溶菌作用を有する化合物、又は金属イオンを触媒とする酸化剤の添加等を挙げることができる。なお、これらの方法を組み合わせてもよい。
【００２６】
ｐＨを制御する具体的な方法としては、後述するアルカリ剤、酸、又は廃酸等のｐＨ調整成分を活性汚泥処理槽に添加する方法等を挙げることができる。これらのｐＨ調整成分を、例えば活性汚泥処理槽内のｐＨを４．５以下、好ましくは２．５〜３．５とするか、又は９．５以上、好ましくは１０〜１２とすればよい。
【００２７】
温度を制御して殺菌又は溶菌する場合には、例えば、活性汚泥処理槽内の温度を４０〜１００℃、好ましくは４０〜８０℃に制御すればよい。なお、加熱にかかるコストを考慮すると、４０〜５０℃に制御することがさらに好ましい。
【００２８】
アルカリ剤の具体例としては、水酸化ナトリウム、水酸化カリウム、水酸化マグネシウム、水酸化カルシウム、アンモニア等を挙げることができる。これらのアルカリ剤は、細菌の細胞壁（膜）に損傷を生じさせて破壊し、細菌を殺菌又は溶菌させる機能が大きく、さらには細菌を構成している細胞質を加水分解して機能障害を生じさせる機能を有し、しかも安価な化合物であるので好ましい。
【００２９】
酸の具体例としては、硫酸、硝酸、塩酸等を挙げることができる。また、各種工場等から廃棄物として出される廃酸を有効に使用することもできる。なかでも、廃硝酸を使用することが好ましい。これらの酸又は廃酸は、細菌の細胞壁（膜）に損傷を生じさせて破壊し、細菌を殺菌又は溶菌させる機能があり、しかも安価な化合物であるので好ましい。
【００３０】
殺菌又は溶菌作用を有する化合物の具体例としては、ソルビン酸、ソルビン酸ナトリウム、ソルビン酸カリウム、ソルビン酸カルシウム、グルタルアルデヒド等のアルデヒド類、カチオン性界面活性剤、ノニオン性界面活性剤、両性界面活性剤、塩素化合物類、ポリアミン類、脂肪族アミン類、フェノール類、ニトロフラン類、トリクロルアルキルチオ基を有する化合物類、ジチオカルバメート類、アルコール類、プロテアーゼ、グルカナーゼ、アミラーゼ、モノパーオキシフタレートマグネシウム、過酸化水素、過酸化ナトリウム、過炭酸ナトリウム、炭化ナトリウム等を挙げることができる。これらの化合物は、殺菌作用又は溶菌作用を有するにもかかわらず、強い毒性を有さず、さらにはｐＨ依存性や温度依存性等の活性汚泥の性状に影響を及ぼすことがなく、コスト的にも有用である。
【００３１】
酸化剤としては、例えば従来公知の化学酸化方法において使用されている酸化剤を挙げることができる。より具体的には、過酸化水素、過酸化カルシウム、過硫酸アンモニウム、アルキルヒドロペルオキシド、過酸化エステル、過酸化ジアルキル又はジアシル等を挙げることができる。なかでも、コストや副生物等の点からみて過酸化水素が最も好ましい。
【００３２】
触媒として用いられる金属イオンとしては、鉄、チタン、セリウム、銅、マンガン、コバルト、バナジウム、クロム、鉛のイオン等を挙げることができる。なかでも、鉄イオンが好ましい。なお、これらの金属イオンを生ずるものであれば、金属単体、金属酸化物、金属塩、及び錯体等いずれであってもよい。
【実施例】
【００３３】
次に、実施例を挙げて本発明をさらに具体的に説明する。ただし、これらの実施例は本発明の単なる例示であって、本発明の限定を意図するものではない。
【００３４】
（被処理水の調製）
グルコース、ポリペプトン、酵母エキス、尿素、リン酸二水素カリウム、及び硫酸マグネシウムを成分とした模擬排水に、市販の大豆油を油脂分として３００ｍｇ／Ｌとなるように添加し、ＢＯＤ  ２０００ｍｇ／Ｌとした被処理水（１）を調製した。また、油脂分を加えないこと以外は被処理水（１）と同様にして、ＢＯＤ  ２０００ｍｇ／Ｌとした被処理水（２）を調製した。調製した被処理水（１）及び（２）の水質を表１に示す。
【００３５】
0005767854.tif 000002
【００３６】
（実施例１）
図３に示す処理装置を使用して被処理水（１）（水温：２５℃）の生物処理を行った。なお、細菌槽１０の容量は１Ｌ、及びＨＲＴ（水理学的滞留時間）は４．８時間であり、浸漬型の膜分離槽２０の容量は５．７Ｌ、ＨＲＴは２７．２時間、及びＳＲＴ（汚泥滞留時間）は３０日であった。また、細菌槽１０に対するＢＯＤ容積負荷を１０ｋｇ／（ｍ3・日）、処理槽全体（細菌槽１０と膜分離槽２０の合計）に対するＢＯＤ容積負荷を１．５ｋｇ／（ｍ3・日）、及びＨＲＴを３２時間とする条件で処理を行った。処理を３ヶ月間実施し、処理水の水質、分離膜２５における膜圧差、汚泥の粘度、及び汚泥濃度（ＭＬＳＳ）を測定するとともに、汚泥転換率を算出した。処理水の水質及び汚泥濃度の測定結果、並びに汚泥転換率の算出結果を表２に示す。また、処理日数（日）に対して、膜圧差（ｋＰａ）をプロットしたグラフを図１に示す。さらに、処理日数（日）に対して、汚泥の粘度（ｍＰａ・ｓ）をプロットしたグラフを図２に示す。
【００３７】
（実施例２、比較例１、及び参考例１）
表２に示す条件としたこと以外は、前述の実施例１と同様にして被処理水（１）及び（２）の生物処理を行った。処理水の水質及び汚泥濃度の測定結果、並びに汚泥転換率の算出結果を表２に示す。また、処理日数（日）に対して、膜圧差（ｋＰａ）をプロットしたグラフを図１に示す。さらに、処理日数（日）に対して、汚泥の粘度（ｍＰａ・ｓ）をプロットしたグラフを図２に示す。
【００３８】
（実施例３）
表２に示す条件としたこと以外は、前述の実施例１と同様にして被処理水（１）の生物処理を行った。なお、汚泥処理槽３０を使用した殺菌又は溶菌処理は、以下の通りに実施した（図４参照）。すなわち、膜分離槽２０中の汚泥の５体積％を汚泥処理槽３０へと導入した後、ｐＨ２．５となるように６８質量％の硝酸を添加し、常温（２０℃）、ＨＲＴ３時間で殺菌又は溶菌処理を行った。また、殺菌又は溶菌処理後の汚泥は、膜分離槽２０へと返送し、通常のフローに従って生物処理を継続した。処理水の水質及び汚泥濃度の測定結果、並びに汚泥転換率の算出結果を表２に示す。また、処理日数（日）に対して、膜圧差（ｋＰａ）をプロットしたグラフを図１に示す。さらに、処理日数（日）に対して、汚泥の粘度（ｍＰａ・ｓ）をプロットしたグラフを図２に示す。
【００３９】
0005767854.tif 000003
【００４０】
（考察）
有機性廃水の処理に際しては、一般的に、分離膜における膜圧差が２０ｋＰａ未満、及び汚泥の粘度が１００ｍＰａ・ｓ未満であれば、膜分離槽を用いた膜分離活性汚泥法を適用可能であると判断することができる。図１及び２に示すように、細菌槽を有する処理装置を使用した実施例１〜３では、処理開始から約３ヶ月間、膜差圧は２０ｋＰａ未満、汚泥の粘度は１００ｍＰａ・ｓ未満で安定して推移した。これに対して、細菌槽を有しない処理装置を使用した比較例１では、処理開始から約１ヶ月には、膜圧差が上昇して２０ｋＰａ以上になるとともに、汚泥の粘度も上昇して１００ｍＰａ・ｓ以上になった。
【００４１】
表２に示すように、実施例１〜３で得られた処理水の水質は、比較例１で得られた処理水の水質と同等であった。このため、実施例１〜３では十分な生物処理を行えたことが明らかである。以上より、比較的高い濃度で油脂を含有する被処理水であっても、膜分離槽の前段（上流側）に細菌槽を設置した処理装置を使用することで、低い膜差圧で安定して処理できるとともに、余剰汚泥発生量を大幅に削減可能であることが判明した。
【００４２】
また、実施例２と比較例１を比較すると、実施例２で使用した処理装置を構成する膜分離槽の容量（２．７Ｌ）は、比較例１で使用した処理装置を構成する膜分離槽の容量（６．７Ｌ）に比して大幅に小さい。しかしながら、実施例２では、比較例１に比して高いＢＯＤ容積負荷としても、長期間にわたって低い膜差圧で安定して処理できることが明らかである。
【００４３】
なお、実施例３では、実施例２に比して、汚泥転換率をより低く抑えることができた。すなわち、汚泥処理槽を組み合わせ、活性汚泥の一部を殺菌又は溶菌処理することにより、余剰汚泥発生量をさらに削減可能であることが明らかである。
【産業上の利用可能性】
【００４４】
本発明の有機性廃水の処理方法を用いれば、動植物油等の油脂を含有する有機性廃水を、油脂を除去するための大掛かりな設備を増設することなく、安定して処理することができる。
【符号の説明】
【００４５】
１０：細菌槽
２０：膜分離槽
２５：分離膜
３０：汚泥処理槽
【図１】
0005767854.tif 000004
【図２】
0005767854.tif 000005
【図３】
0005767854.tif 000006
【図４】
0005767854.tif 000007
【図５】
0005767854.tif 000008